(57)【要約】【課題】筆記認識を利用してロック解除、アプリケーション実行、及び機能転換を行う電子装置及びその運用方法を提供する。【解決手段】本発明の電子装置の運用方法は、ロック解除を要求されるステップと、筆記を受信する筆記認識ウィンドウを提供するステップと、筆記認識ウィンドウに筆記された少なくとも一つ以上の画の座標情報を読み取るステップと、読み取られた座標情報から第１文字情報を導き出すステップと、第１文字情報と予め設定された第２文字情報とが一致するか否かを識別するステップと、第１文字情報と第２文字情報とが一致した場合にロックを解除し、第１文字情報と第２文字情報とが一致しない場合にロックを維持するステップと、を有する。【選択図】図３Ａ
2013206465.tif 000002
【特許請求の範囲】
【請求項１】
電子装置の運用方法であって、
ロック解除を要求されるステップと、
筆記を受信する筆記認識ウィンドウを提供するステップと、
前記筆記認識ウィンドウに筆記された少なくとも一つ以上の画の座標情報を読み取るステップと、
前記読み取られた座標情報から第１文字情報を導き出すステップと、
前記第１文字情報と予め設定された第２文字情報とが一致するか否かを識別するステップと、
前記第１文字情報と前記第２文字情報とが一致した場合に前記ロックを解除し、前記第１文字情報と前記第２文字情報とが一致しない場合に前記ロックを維持するステップと、を有することを特徴とする電子装置の運用方法。
【請求項２】
電子装置の運用方法であって、
該当アプリケーションの実行を要求されるステップと、
前記アプリケーションの使用制限設定の有無を識別するステップと、
前記アプリケーションの使用制限設定がある場合に、筆記を受信する筆記認識ウィンドウを提供するステップと、
前記筆記認識ウィンドウに筆記された少なくとも一つ以上の画の座標情報を読み取るステップと、
前記読み取った座標情報から第１文字情報を導き出すステップと、
前記第１文字情報と予め設定された第２文字情報とが一致するか否かを識別するステップと、
前記第１文字情報と前記第２文字情報とが一致した場合に前記アプリケーションを実行し、前記第１文字情報と前記第２文字情報とが一致しない場合に前記アプリケーションを実行しないステップと、を有することを特徴とする電子装置の運用方法。
【請求項３】
前記第１文字情報は、
文字、記号、数字、及び図形のうち、少なくとも一つ以上から構成される少なくとも一つ以上の文字又は文字列を含むことを特徴とする請求項１又は２に記載の電子装置の運用方法。
【請求項４】
前記第１文字情報は、
書体、書体サイズ、及び画面位置のうち、少なくとも一つ以上を含む前記文字又は文字列の形式を含むことを特徴とする請求項３に記載の電子装置の運用方法。
【請求項５】
前記第１文字情報は、
ユーザにより定義された少なくとも一つの非標準文字を含むことを特徴とする請求項１又は２に記載の電子装置の運用方法。
【請求項６】
タッチスクリーンと、
少なくとも一つ以上のプロセッサと、
メモリと、
前記メモリに格納されて前記少なくとも一つ以上のプロセッサによって実行可能に構成された少なくとも一つ以上のモジュールと、を備え、
前記モジュールは、
ロック解除を要求された場合に、筆記を受信する筆記認識ウィンドウを前記タッチスクリーンに表示し、前記筆記認識ウィンドウに筆記された少なくとも一つ以上の画の座標情報を読み取って第１文字情報を導き出し、
前記第１文字情報と予め設定された第２文字情報とが一致するか否かを識別して、前記第１文字情報と前記第２文字情報とが一致した場合に前記ロックを解除し、前記第１文字情報と前記第２文字情報とが一致しない場合に前記ロックを維持することを特徴とする電子装置。
【請求項７】
タッチスクリーンと、
少なくとも一つ以上のプロセッサと、
メモリと、
前記メモリに格納されて前記少なくとも一つ以上のプロセッサによって実行可能に構成された少なくとも一つ以上のモジュールと、を備え、
前記モジュールは、
該当アプリケーションの実行を要求された場合に、前記アプリケーションの使用制限設定の有無を識別し、
前記アプリケーションの使用制限設定がある場合に筆記を受信する筆記認識ウィンドウを前記タッチスクリーンに表示し、前記筆記認識ウィンドウに筆記された少なくとも一つ以上の画の座標情報を読み取って第１文字情報を導き出し、
前記第１文字情報と予め設定された第２文字情報とが一致するか否かを識別して、前記第１文字情報と前記第２文字情報とが一致した場合に前記アプリケーションを実行し、前記第１文字情報と前記第２文字情報とが一致しない場合に前記アプリケーションを実行しないことを特徴とする電子装置。
【請求項８】
前記第１文字情報は、
文字、記号、数字、及び図形のうち、少なくとも一つ以上から構成される少なくとも一つ以上の文字又は文字列を含むことを特徴とする請求項６又は７に記載の電子装置。
【請求項９】
前記第１文字情報は、
書体、書体サイズ、及び画面位置のうち、少なくとも一つ以上を含む前記文字又は文字列の形式を含むことを特徴とする請求項８に記載の電子装置。
【請求項１０】
前記第１文字情報は、
ユーザにより定義された少なくとも一つの非標準文字を含むことを特徴とする請求項６又は７に記載の電子装置。
【発明の詳細な説明】
【技術分野】
【０００１】
本発明は、電子装置及びその運用方法に関し、より詳細には、筆記認識を利用して運用する電子装置及びその運用方法に関する。
【背景技術】
【０００２】
現在、電子通信産業の発達により移動通信端末機（セルラーフォン）、電子手帳、個人複合端末機などの携帯電子装置は、現代社会の必需品になるに伴い、急速に変化する情報伝達の重要な手段になっている。
【０００３】
周知の如く、最近の携帯電子装置は、グラフィックユーザインタフェース（Ｇｒａｐｈｉｃ  Ｕｓｅｒ  Ｉｎｔｅｒｆａｃｅ：ＧＵＩ）基盤下のタッチスクリーンの活用度が高まるに伴い、タッチスクリーンを好む傾向が明らかになっている。一般に、タッチスクリーンを適用した携帯電子装置は、ロック画面を提供し、図１は、従来のタッチスクリーンを適用した携帯電子装置において提供されるロック画面を描写する図である。図１に示すように、ロック画面は、スライドバー１１を提供し、画面の左側に置かれたスライドバー１１を右側に移動させることで、ロックを解除するユーザ経験（Ｕｓｅｒ  ｅｘｐｅｒｉｅｎｃｅ：ＵＸ）を提供する。しかし、ロック画面は、誰にでもロック解除を許すため、セキュリティー面で不完全である。
【先行技術文献】
【特許文献】
【０００４】
【特許文献１】韓国特許出願公開第１０−２００５−００２６９０２号明細書
【発明の概要】
【発明が解決しようとする課題】
【０００５】
本発明は、上記従来の問題点に鑑みてなされたものであって、本発明の目的は、筆記認識を利用してロックを解除する電子装置及びその運用方法を提供することにある。
また、本発明の目的は、筆記認識を利用してアプリケーションを実行する電子装置及びその運用方法を提供することにある。
また、本発明の目的は、筆記認識を利用して機能を転換する電子装置及びその運用方法を提供することにある。
【課題を解決するための手段】
【０００６】
上記目的を達成するためになされた本発明の一態様による電子装置の運用方法は、ロック解除を要求されるステップと、筆記を受信する筆記認識ウィンドウを提供するステップと、前記筆記認識ウィンドウに筆記された少なくとも一つ以上の画の座標情報を読み取るステップと、前記読み取られた座標情報から第１文字情報を導き出すステップと、前記第１文字情報と予め設定された第２文字情報とが一致するか否かを識別するステップと、前記第１文字情報と前記第２文字情報とが一致した場合に前記ロックを解除し、前記第１文字情報と前記第２文字情報とが一致しない場合に前記ロックを維持するステップと、を有することを特徴とする。
【０００７】
上記目的を達成するためになされた本発明の他の態様による電子装置の運用方法は、該当アプリケーションの実行を要求されるステップと、前記アプリケーションの使用制限設定の有無を識別するステップと、前記アプリケーションの使用制限設定がある場合に、筆記を受信する筆記認識ウィンドウを提供するステップと、前記筆記認識ウィンドウに筆記された少なくとも一つ以上の画の座標情報を読み取るステップと、前記読み取った座標情報から第１文字情報を導き出すステップと、前記第１文字情報と予め設定された第２文字情報とが一致するか否かを識別するステップと、前記第１文字情報と前記第２文字情報とが一致した場合に前記アプリケーションを実行し、前記第１文字情報と前記第２文字情報とが一致しない場合に前記アプリケーションを実行しないステップと、を有することを特徴とする。
【０００８】
上記目的を達成するためになされた本発明の更に他の態様による電子装置の運用方法は、第１機能から第２機能への転換を要求されるステップと、前記第２機能の使用制限設定の有無を識別するステップと、前記第２機能の使用制限設定がある場合に、筆記を受信する筆記認識ウィンドウを提供するステップと、前記筆記認識ウィンドウに筆記された少なくとも一つ以上の画の座標情報を読み取るステップと、前記読み取った座標情報から第１文字情報を導き出すステップと、前記第１文字情報と第２文字情報とが一致するか否かを識別するステップと、前記第１文字情報と前記第２文字情報とが一致した場合に前記第１機能から前記第２機能へ転換し、前記第１文字情報と前記第２文字情報とが一致しない場合に前記第１機能を維持するステップと、を有することを特徴とする。
【０００９】
上記目的を達成するためになされた本発明の一態様による電子装置は、タッチスクリーンと、少なくとも一つ以上のプロセッサと、メモリと、前記メモリに格納されて前記少なくとも一つ以上のプロセッサによって実行可能に構成された少なくとも一つ以上のモジュールと、を備え、前記モジュールは、ロック解除を要求された場合に、筆記を受信する筆記認識ウィンドウを前記タッチスクリーンに表示し、前記筆記認識ウィンドウに筆記された少なくとも一つ以上の画の座標情報を読み取って第１文字情報を導き出し、前記第１文字情報と予め設定された第２文字情報とが一致するか否かを識別して、前記第１文字情報と前記第２文字情報とが一致した場合に前記ロックを解除し、前記第１文字情報と前記第２文字情報とが一致しない場合に前記ロックを維持することを特徴とする。
【００１０】
上記目的を達成するためになされた本発明の他の態様による電子装置は、タッチスクリーンと、少なくとも一つ以上のプロセッサと、メモリと、前記メモリに格納されて前記少なくとも一つ以上のプロセッサによって実行可能に構成された少なくとも一つ以上のモジュールと、を備え、前記モジュールは、該当アプリケーションの実行を要求された場合に、前記アプリケーションの使用制限設定の有無を識別し、前記アプリケーションの使用制限設定がある場合に筆記を受信する筆記認識ウィンドウを前記タッチスクリーンに表示し、前記筆記認識ウィンドウに筆記された少なくとも一つ以上の画の座標情報を読み取って第１文字情報を導き出し、前記第１文字情報と予め設定された第２文字情報とが一致するか否かを識別して、前記第１文字情報と前記第２文字情報とが一致した場合に前記アプリケーションを実行し、前記第１文字情報と前記第２文字情報とが一致しない場合に前記アプリケーションを実行しないことを特徴とする。
【００１１】
上記目的を達成するためになされた本発明の更に他の態様による電子装置は、タッチスクリーンと、少なくとも一つ以上のプロセッサと、メモリと、前記メモリに格納されて前記少なくとも一つ以上のプロセッサによって実行可能に構成された少なくとも一つ以上のモジュールと、を備え、前記モジュールは、第１機能から第２機能への転換を要求された場合に、前記第２機能の使用制限設定の有無を識別し、前記第２機能の使用制限設定がある場合に筆記を受信する筆記認識ウィンドウを提供し、前記筆記認識ウィンドウに筆記された少なくとも一つ以上の画の座標情報を読み取って第１文字情報を導き出し、前記第１文字情報と第２文字情報とが一致するか否かを識別して、前記第１文字情報と前記第２文字情報とが一致した場合に前記第１機能から前記第２機能へ転換し、前記第１文字情報と前記第２文字情報とが一致しない場合に前記第１機能を維持することを特徴とする。
【発明の効果】
【００１２】
本発明の電子装置及びその運用方法によれば、セキュリティーを強化し、ユーザ経験（ＵＸ）を改善することができる。
【図面の簡単な説明】
【００１３】
【図１】従来のタッチスクリーンを適用した携帯電子装置において提供されるロック画面を描写する図である。
【図２】本発明の一実施形態による携帯電子装置のブロック構成図である。
【図３Ａ】本発明の一実施形態によるタッチスクリーン付き電子装置のロック解除手順を示すフローチャートである。
【図３Ｂ】本発明の一実施形態によるタッチスクリーン付き電子装置のロック解除に対するユーザインタフェース画面である。
【図３Ｃ】本発明の一実施形態によるタッチスクリーン付き電子装置のロック解除に対するユーザインタフェース画面である。
【図３Ｄ】本発明の一実施形態によるタッチスクリーン付き電子装置のロック解除に対するユーザインタフェース画面である。
【図３Ｅ】本発明の一実施形態によるタッチスクリーン付き電子装置のロック解除に対するユーザインタフェース画面である。
【図４Ａ】本発明の一実施形態によるタッチスクリーン付き電子装置のアプリケーション実行手順を示すフローチャートである。
【図４Ｂ】本発明の一実施形態によるタッチスクリーン付き電子装置のアプリケーション実行に対するユーザインタフェース画面である。
【図４Ｃ】本発明の一実施形態によるタッチスクリーン付き電子装置のアプリケーション実行に対するユーザインタフェース画面である。
【図５Ａ】本発明の一実施形態によるタッチスクリーン付き電子装置の機能転換手順を示すフローチャートである。
【図５Ｂ】本発明の一実施形態によるタッチスクリーン付き電子装置の機能転換に対するユーザインタフェース画面である。
【図５Ｃ】本発明の一実施形態によるタッチスクリーン付き電子装置の機能転換に対するユーザインタフェース画面である。
【発明を実施するための形態】
【００１４】
以下、本発明の電子装置及びその運用方法を実施するための形態の具体例を、図面を参照しながら詳細に説明する。下記で本発明を説明するに当たって、関連する公知の機能又は構成についての具体的な説明が本発明の要旨を不明確にする恐れがあると判断される場合には、その詳細な説明を省略する。そして、後述する用語は、本発明における機能を考慮して定義した用語であり、これは、ユーザ、操作者の意図又は慣例などによって変わり得る。従って、その定義は、本明細書全般に亘る内容に基づいて行わなければならない。
【００１５】
本発明は、筆記認識を利用してロックを解除したり、アプリケーションを実行したり、又は機能を転換するタッチスクリーン付き電子装置及びその運用方法を提供する。筆記認識は、タッチスクリーンに提供される筆記認識ウィンドウに筆記される順序に応じて入力される座標列を基にどんな文字であるかを読み取る技術である。本発明によるタッチスクリーン付き電子装置及びその運用方法は、セキュリティーを強化し、ユーザ経験（ＵＸ）を改善する。
【００１６】
図２は、本発明の一実施形態による電子装置のブロック構成図である。このような電子装置１００は、携帯用電子装置であってもよく、携帯用端末機、移動電話、移動パッド、メディアプレーヤー、タブレットコンピュータ、ハンドヘルドコンピュータ、又はＰＤＡのような装置であってもよい。また、このような装置のうち、２種類以上の機能を結合した装置を備える任意の電子装置であってもよい。
【００１７】
電子装置１００は、メモリ１１０、プロセッサユニット１２０、第１無線通信サブシステム１３０、第２無線通信サブシステム１３１、外部ポート１６０、オーディオサブシステム１５０、スピーカ１５１、マイクロホン１５２、入出力システム１７０、タッチスクリーン１８０、及びその他入力／制御装置１９０を備える。メモリ１１０と外部ポート１６０とは、複数で構成され得る。
【００１８】
プロセッサユニット１２０は、メモリインタフェース１２１、一つ以上のプロセッサ１２２、及び周辺装置インタフェース１２３を備える。プロセッサユニット１２０の全体をプロセッサと呼ぶこともある。メモリインタフェース１２１、一つ以上のプロセッサ１２２、及び／又は周辺装置インタフェース１２３は、別個の構成要素であるか又は一つ以上の集積化された回路に構成され得る。
【００１９】
プロセッサ１２２は、様々なソフトウェアプログラムを実行して電子装置１００のための様々な機能を行い、音声通信、映像通信、及びデータ通信のための処理及び制御を行う。また、このような通常的な機能に加えて、プロセッサ１２２は、メモリ１１０に格納されているソフトウェアモジュール（命令語セット）を実行して、そのモジュールに対応する様々な機能を行う。また、このような通常の機能に加えて、プロセッサ１２２は、メモリ１１０に格納されている特定のソフトウェアモジュール（命令語セット）を実行して、そのモジュールに対応する特定の様々な機能を行う役割も果たす。即ち、プロセッサ１２２は、メモリ１１０に格納されたソフトウェアモジュールと連動して、本発明の実施形態の方法を行う。
【００２０】
プロセッサ１２２は、一つ以上のデータプロセッサ、イメージプロセッサ、又はコーデック（ＣＯＤＥＣ）を含む。電子装置１００は、データプロセッサ、イメージプロセッサ、又はコーデックを別に構成することもできる。周辺装置インタフェース１２３は、電子装置１００の入出力サブシステム１７０及び複数の周辺装置をプロセッサ１２２に接続させる。また、周辺装置インタフェース１２３は、電子装置１００の入出力サブシステム１７０及び複数の周辺装置を、メモリインタフェース１２１を介してメモリ１１０に接続させる。
【００２１】
電子装置１００の多様な構成要素は、一つ以上の通信バス（図示せず）又はストリーム線（図示せず）を介して接続される。
【００２２】
外部ポート１６０は、電子装置１００を他の電子装置に直接接続するか、或いはネットワーク（例えば、インターネット、イントラネット、無線ＬＡＮ等）を介して他の電子装置に間接的に接続する。例えば、外部ポート１６０は、ＵＳＢ（Ｕｎｉｖｅｒｓａｌ  ｓｅｒｉａｌ  Ｂｕｓ）ポートやファイヤーワイヤー（ＦＩＲＥＷＩＲＥ）ポートなどを意味し、またこれらに限定されるものではない。
【００２３】
モーションセンサ１９１及び光センサ１９２は、周辺装置インタフェース１２３に接続されて、様々な機能を可能にする。例えば、モーションセンサ１９１及び光センサ１９２は、周辺装置インタフェース１２３に接続され、電子装置１００の動きを感知するか、又は外部光を感知する。その他、位置センサ、温度センサ、生体センサなどのその他のセンサが周辺装置インタフェース１２３に接続されて、関連機能を行う。
【００２４】
カメラサブシステム１９３は、写真及びビデオクリップレコーディングなどのカメラ機能を行う。光センサ１９２は、カメラサブシステム１９３のためのＣＣＤデバイス又はＣＭＯＳデバイスであり得る。
【００２５】
第１及び第２無線通信サブシステム１３０、１３１は、通信を可能にする。第１及び第２無線通信サブシステム１３０、１３１は、無線周波数受信機及び送受信機、及び／又は光（例えば、赤外線）受信機及び送受信機を備える。第１通信サブシステム１３０と第２通信サブシステム１３１とは、通信ネットワークによって区分される。例えば、第１通信サブシステム１３０と第２通信サブシステム１３１のそれぞれは、ＧＳＭ（登録商標）ネットワーク、ＥＤＧＥネットワーク、ＣＤＭＡネットワーク、Ｗ−ＣＤＭＡネットワーク、ＬＴＥネットワーク、ＯＦＤＭＡネットワーク、Ｗｉ−Ｆｉネットワーク、ＷｉＭａｘネットワーク、又は／及びＢｌｕｅｔｏｏｔｈ（登録商標）ネットワークのうちの何れか一つにより作動するように設計され得る。
【００２６】
オーディオサブシステム１５０は、スピーカ１５１及びマイクロホン１５２に接続されて、音声認識、音声復号、デジタルレコーディング、及び通話機能などのオーディオの入力と出力を担当する。即ち、オーディオサブシステム１５０は、スピーカ１５１及びマイクロホン１５２を介してユーザと疎通する。オーディオサブシステム１５０は、プロセッサユニット１２０の周辺装置インタフェース１２３を介してデータ信号を受信し、受信したデータ信号を電気信号に変換し、変換した電気信号をスピーカ１５１に提供する。スピーカ１５１は、電気信号を人が聞くことができる音波に変換して出力する。マイクロホン１５２は、人やその他の他の音原から伝えられた音波を電気信号に変換する。オーディオサブシステム１５０は、マイクロホン１５２から電気信号を受信し、受信した電気信号をオーディオデータ信号に変換し、変換したオーディオデータ信号を周辺装置インタフェース１２３に送信する。オーディオサブシステム１５０は、脱着可能なイヤホン、ヘッドホン、又はヘッドセットを備えることができる。
【００２７】
入出力サブシステム１７０は、タッチスクリーン制御機１７１及び／又はその他入力制御機１７２を備える。タッチスクリーン制御機１７１は、タッチスクリーン１８０に接続され、タッチスクリーン１８０を介したタッチ接触、タッチ動きなどのタッチイベントを決定する。タッチスクリーン１８０とタッチスクリーン制御機１７１は、容量性、抵抗性、赤外線、及び表面音響波技術だけでなく、その他近接センサ配列又はその他要素を含む任意のマルチタッチ感知技術を利用できる。その他入力制御機１７２は、その他入力／制御装置１９０に結合される。その他入力／制御装置１９０は、ボリューム制御のためのアップ／ダウンボタンを構成する。その他、その他入力／制御装置１９０は、該当機能を提供するプッシュボタン、ロックボタン、ロックスイッチ、サムホイール、ダイヤル、スティック、及びスタイラスなどのポインタ装置のうちの少なくとも一つ以上を構成することができる。
【００２８】
タッチスクリーン１８０は、電子装置１００とユーザとの間の入力及び出力インタフェースを提供する。タッチスクリーン１８０は、ユーザのタッチ入力を電子装置１００に伝達し、電子装置１００から提供される時刻情報（例えば、テキスト、グラフィック、ビデオ等を用いて）をユーザに見せる。
【００２９】
一般に、タッチスクリーン１８０は、ディスプレイにタッチパネル、タッチセンサなどが付加されたものであって、ディスプレイは多様である。例えば、ディスプレイは、ＬＣＤ、ＬＥＤディスプレイ、ＬＰＤ、ＯＬＥＤディスプレイ、ＡＭＯＬＥＤディスプレイ、及びＦＬＥＤディスプレイのうちの何れか一つであり得る。
【００３０】
メモリ１１０は、メモリインタフェース１２１に接続され、一つ以上の磁気ディスク格納装置のような高速ランダムアクセスメモリ及び／又は不揮発性メモリ、一つ以上の光格納装置及び／又はフラッシュメモリ（例えば、ＮＡＮＤ、ＮＯＲ）を備える。
【００３１】
メモリ１１０は、ソフトウェアを格納し、ソフトウェアは、オペレーティングシステム（ＯＳ）モジュール１１１、通信モジュール１１２、グラフィックモジュール１１３、ユーザインタフェースモジュール１１４、ＣＯＤＥＣモジュール１１５、カメラモジュール１１６、及び一つ以上のアプリケーションモジュール１１７などを備える。モジュールという用語は、命令語の集まり又は命令語セット（ｉｎｓｔｒｕｃｔｉｏｎ  ｓｅｔ）又はプログラムで表現することもある。
【００３２】
オペレーティングシステム（ＯＳ）モジュール１１１ソフトウェアは、ＷＩＮＤＯＷＳ（登録商標）、ＬＩＮＵＸ（登録商標）、ダーウィン（Ｄａｒｗｉｎ）、ＲＴＸＣ、ＵＮＩＸ（登録商標）、ＯＳＸ、又はＶｘＷｏｒｋｓのような内蔵オペレーティングシステムを意味し、通常のシステム動作を制御する複数のソフトウェア構成要素を含む。このような一般的なシステム動作の制御は、メモリ管理及び制御、格納ハードウェア（装置）制御及び管理、電力制御及び管理などを含む。また、オペレーティングシステムモジュール１１１ソフトウェアは、複数のハードウェア（装置）とソフトウェア構成要素（モジュール）との間の通信をスムーズにする機能も行う。
【００３３】
通信モジュール１１２は、第１及び第２無線通信サブシステム１３０、１３１、又は外部ポート１６０を介してコンピュータ、サーバ、及び携帯用端末機などの相手電子装置と通信を可能にする。
【００３４】
グラフィックモジュール１１３は、タッチスクリーン１８０上にグラフィックを提供して表示する複数のソフトウェア構成要素を含む。グラフィックという用語は、テキスト、Ｗｅｂページ、アイコン（ｉｃｏｎ）、デジタルイメージ、ビデオ、アニメーションなどを意味する。
【００３５】
ユーザインタフェースモジュール１１４は、ユーザインタフェースに関連する様々なソフトウェア構成要素を含む。また、ユーザインタフェースモジュール１１４は、ユーザインタフェースの状態がどのように変更されるか、ユーザインタフェース状態の変更がどのような条件でなされるか等に対する内容を含む。
【００３６】
コーデック（ＣＯＤＥＣ）モジュール１１５は、ビデオファイルのエンコード及びデコードに関連するソフトウェア構成要素を含む。
【００３７】
カメラモジュール１１６は、カメラ関連プロセス及び機能を可能にするカメラ関連ソフトウェア構成要素を含む。
【００３８】
アプリケーションモジュール１１７は、ブラウザ、電子メール、インスタントメッセージ、ワードプロセシング、キーボードエミュレーション、アドレスブック、接触リスト（ｔｏｕｃｈ  ｌｉｓｔ）、ウィゼット、デジタル著作権管理（ＤＲＭ）、音声認識、音声復号、位置決定機能、位置基盤サービスなどを含む。メモリ１１０は、上述したモジュールの他に追加的なモジュール（命令語）を更に含むことができる。
【００３９】
また、本実施形態による電子装置１００の多様な機能は、一つ以上のストリームプロセシング及び／又はアプリケーション特定集積回路（ＡＳＩＣ）を含むハードウェア及び／又はソフトウェア及び／又はこれらの結合で実行され得る。
【００４０】
プロセッサ１２２は、図２に示す少なくとも一つ以上の構成要素を利用するロック解除手段を構成する。例えば、プロセッサ１２２は、ロック解除の要請を受けた場合に、筆記を受信する筆記認識ウィンドウを提供し、筆記認識ウィンドウに筆記された少なくとも一つ以上の画の座標情報を読み取って、第１文字情報を導き出す筆記認識手段を構成する。また、プロセッサ１２２は、筆記認識手段から導き出された第１文字情報と予め設定された第２文字情報とが一致する場合にイネイブル信号を提供し、一致しない場合にディセイブル信号を提供する比較手段を構成する。プロセッサ１２２は、比較手段からイネイブル信号が提供された場合にロックを解除し、比較手段からディセイブル信号が提供された場合にロックを維持する制御手段を構成する。
【００４１】
プロセッサ１２２は、図２に示す少なくとも一つ以上の構成要素を利用するアプリケーション実行手段を構成する。例えば、プロセッサ１２２は、該当アプリケーションの実行を要求された場合に、アプリケーションの使用制限設定の有無を確認する識別手段を構成する。また、プロセッサ１２２は、識別手段からアプリケーションの使用制限設定を確認された場合に筆記を受信する筆記認識ウィンドウを提供し、筆記認識ウィンドウに筆記された少なくとも一つ以上の画の座標情報を読み取って、第１文字情報を導き出す筆記認識手段を構成する。また、プロセッサ１２２は、筆記認識手段から導き出された第１文字情報と予め設定された第２文字情報とが一致する場合にイネイブル信号を提供し、一致しない場合にディセイブル信号を提供する比較手段を構成する。プロセッサ１２２は、比較手段からイネイブル信号が提供された場合にアプリケーションを実行し、比較手段からディセイブル信号が提供された場合にアプリケーションを実行しない制御手段を構成する。
【００４２】
プロセッサ１２２は、図２に示す少なくとも一つ以上の構成要素を利用する機能転換手段を構成する。例えば、プロセッサ１２２は、第１機能から第２機能への転換を要求された場合に、第２機能の使用制限設定の有無を確認する識別手段を構成する。また、プロセッサ１２２は、識別手段から第２機能の使用制限設定を確認された場合に筆記を受信する筆記認識ウィンドウを提供し、筆記認識ウィンドウに筆記された少なくとも一つ以上の画の座標情報を読み取って、第１文字情報を導き出す筆記認識手段を構成する。また、プロセッサ１２２は、筆記認識手段から導き出された第１文字情報と予め設定された第２文字情報とが一致する場合にイネイブル信号を提供し、一致しない場合にディセイブル信号を提供する比較手段を構成する。プロセッサ１２２は、比較手段からイネイブル信号が提供された場合に第１機能から第２機能へ転換させ、比較手段からディセイブル信号が提供された場合に第１機能を維持させる制御手段を構成する。
【００４３】
筆記認識手段から導き出される第１文字情報は、文字、記号、数字、及び図形のうち、少なくとも一つ以上から構成される少なくとも一つ以上の文字又は文字列を含む。また、筆記認識手段から導き出される第１文字情報は、文字又は文字列の形式を更に含み、その形式は、書体、書体サイズ、及び画面位置のうち、少なくとも一つ以上を含む。
【００４４】
プロセッサ１２２は、メモリ１１０に格納されている少なくとも一つ以上のモジュールを実行し、モジュールは、本発明による電子装置の運用手順に従う。
【００４５】
図３Ａは、本発明の一実施形態によるタッチスクリーン付き電子装置のロック解除手順を示すフローチャートである。
【００４６】
図３Ａに示すように、プロセッサ１２２は、ロック解除を要求され（ステップＳ３０１）、筆記認識ウィンドウ（筆記認識モード、筆記認識機）を提供する（ステップＳ３０３）。
【００４７】
プロセッサ１２２は、筆記認識ウィンドウに筆記された少なくとも一つ以上の画の座標情報を読み取って第１文字情報を導き出す（ステップＳ３０５）。プロセッサ１２２が導き出すことができる第１文字情報は、文字、記号、数字、及び図形のうち、少なくとも一つ以上から構成される少なくとも一つ以上の文字又は文字列を含む。また、プロセッサ１２２が導き出すことができる第１文字情報は、文字又は文字列の形式、例えば、書体、書体サイズ、及び画面位置などを含む。
【００４８】
次に、プロセッサ１２２は、第１文字情報と予め設定された第２文字情報とが一致するか否かを識別する（ステップＳ３０７）。第２文字情報は、ユーザによって定義された非標準文字及び非標準文字の形式を含む。
【００４９】
第１文字情報と第２文字情報とが一致する場合に、プロセッサ１２２は、電子装置のロックを解除する（ステップＳ３０９）。反対に、第１文字情報と第２文字情報とが一致しない場合に、プロセッサ１２２は、電子装置のロックを維持する（ステップＳ３１１）。
【００５０】
図３Ｂ及び図３Ｃは、本発明の一実施形態によるタッチスクリーン付き電子装置のロック解除に対するユーザインタフェース画面である。電子装置１００は、ロックされており、ユーザが特定ソフトウェアボタン又はハードウェアボタン１１を押すと、電子装置１００は、筆記認識ウィンドウ１２を提供する。ユーザは、筆記認識ウィンドウ１２に筆記し、筆記の終わりを知らせるボタン１３を押す。電子装置１００は、筆記認識ウィンドウ１２に筆記された少なくとも一つ以上の画の座標情報を読み取って、少なくとも一つ以上の文字又は文字列、特に、文字を導き出す。次に、電子装置１００は、導き出した少なくとも一つ以上の文字と予め設定している少なくとも一つ以上の文字とが一致するか否かを識別する。
【００５１】
図３Ｂに示すように、導き出した少なくとも一つ以上の文字と予め設定している文字とが一致する場合に、電子装置１００は、ロックを解除する。
【００５２】
図３Ｃに示すように、導き出した少なくとも一つ以上の文字と予め設定している少なくとも一つ以上の文字とが一致しない場合、電子装置１００は、ロックを解除せずにこれをユーザに知らせる（１４）。
【００５３】
図３Ｄ及び図３Ｅは、本発明の一実施形態によるタッチスクリーン付き電子装置のロック解除に対するユーザインタフェース画面である。電子装置１００は、ロックされており、ユーザが特定ソフトウェアボタン又はハードウェアボタン１１を押すと、電子装置１００は、筆記認識ウィンドウ１２を提供する。ユーザは、筆記認識ウィンドウ１２に筆記し、筆記の終わりを知らせるボタン１３を押す。電子装置１００は、筆記認識ウィンドウ１２に筆記された少なくとも一つ以上の画の座標情報を読み取って、少なくとも一つ以上の文字を導き出す。また、電子装置１００は、筆記認識ウィンドウ１２に筆記された少なくとも一つ以上の画の座標情報を読み取って、文字の形式、例えば、書体を導き出す。
【００５４】
次に、電子装置１００は、導き出した文字及び書体と予め設定している少なくとも一つ以上の文字及び書体とが一致するか否かを識別する。
【００５５】
図３Ｄに示すように、導き出した少なくとも一つ以上の文字及び書体と予め設定している少なくとも一つ以上の文字及び書体とが一致する場合に、電子装置１００は、ロックを解除する。
【００５６】
図３Ｅに示すように、導き出した少なくとも一つ以上の文字及び書体と予め設定している文字及び書体とが一致しない場合、電子装置１００は、ロックを解除せずに、これをユーザに知らせる（１４）。
【００５７】
図４Ａは、本発明の一実施形態によるタッチスクリーン付き電子装置のアプリケーション実行手順を示すフローチャートである。
【００５８】
図４Ａに示すように、プロセッサ１２２は、該当アプリケーションの実行を要求される（ステップＳ４０１）。
【００５９】
次に、プロセッサ１２２は、アプリケーションが使用制限設定されたものであるか否かを識別する（ステップＳ４０３）。
【００６０】
アプリケーションが使用制限設定されていない場合、プロセッサ１２２は、アプリケーションを実行する（ステップＳ４１３）。これに対し、アプリケーションが使用制限設定された場合、プロセッサ１２２は、筆記認識ウィンドウ（筆記認識モード、筆記認識機）を提供する（ステップＳ４０５）。
【００６１】
次に、プロセッサ１２２は、筆記認識ウィンドウに筆記された少なくとも一つ以上の画の座標情報を読み取って、第１文字情報を導き出す（ステップＳ４０７）。
【００６２】
その次に、プロセッサ１２２は、導き出した第１文字情報と予め設定された第２文字情報とが一致するか否かを識別する（ステップＳ４０９）。
【００６３】
第１文字情報と第２文字情報とが一致した場合、プロセッサ１２２は、アプリケーションを実行する（ステップＳ４１１）。これに対し、第１文字情報と第２文字情報とが一致しない場合、プロセッサ１２２は、アプリケーションを実行しない（ステップＳ４１５）。
【００６４】
図４Ｂ及び図４Ｃは、本発明の一実施形態によるタッチスクリーン付き電子装置のアプリケーション実行に対するユーザインタフェース画面である。ユーザは、実行しようとするアプリケーションのアイコン４１をタッチする。アプリケーションが使用制限設定された場合、電子装置１００は、筆記認識ウィンドウ１２を提供する。ユーザは、筆記認識ウィンドウ１２に筆記し、筆記の終わりを知らせるボタン１３を押す。電子装置１００は、筆記認識ウィンドウ１２に筆記された少なくとも一つ以上の画の座標情報を読み取って、少なくとも一つ以上の文字又は文字列、特に、図形を導き出す。次に、電子装置１００は、導き出した少なくとも一つ以上の図形と予め設定している少なくとも一つ以上の図形とが一致するか否かを識別する。
【００６５】
図４Ｂに示すように、導き出した少なくとも一つ以上の図形と予め設定している少なくとも一つ以上の図形とが一致した場合、電子装置１００は、アプリケーションを実行する。
【００６６】
図４Ｃに示すように、導き出した少なくとも一つ以上の図形と予め設定している少なくとも一つ以上の図形とが一致しない場合、電子装置１００は、アプリケーションを実行せずに、これをユーザに知らせる（１５）。
【００６７】
図５Ａは、本発明の一実施形態によるタッチスクリーン付き電子装置の機能転換手順を示すフローチャートである。
【００６８】
図５Ａに示すように、プロセッサ１２２は、第１機能から第２機能への転換を要求される（ステップＳ５０１）。
【００６９】
次に、プロセッサ１２２は、第２機能が使用制限設定されたものであるか否かを識別する（ステップＳ５０３）。
【００７０】
第２機能が使用制限設定されていない場合、プロセッサ１２２は、第１機能から第２機能へ転換する（ステップＳ５１３）。これに対し、第２機能が使用制限設定された場合、プロセッサ１２２は、筆記認識ウィンドウ（認識モード）を提供する（ステップＳ５０５）。
【００７１】
次に、プロセッサ１２２は、筆記認識ウィンドウに筆記された少なくとも一つ以上の画の座標情報を読み取って、第１文字情報を導き出す（ステップＳ５０７）。
【００７２】
その次に、プロセッサ１２２は、第１文字情報と予め設定された第２文字情報とが一致するか否かを識別する（ステップＳ５０９）。
【００７３】
第１文字情報と第２文字情報とが一致した場合、プロセッサ１２２は、第１機能から第２機能へ転換する（ステップＳ５１１）。反面、第１文字情報と第２文字情報とが一致しない場合、プロセッサ１２２は、第１機能を維持する（ステップＳ５１５）。
【００７４】
図５Ｂ及び図５Ｃは、本発明の一実施形態によるタッチスクリーン付き電子装置の機能転換に対するユーザインタフェース画面である。電子装置１００は、第１機能から第２機能への転換を要求される（ステップＳ５０１）。例えば、音楽再生機能５１を行う途中に呼が受信された場合に、電子装置１００は、通話機能５２への転換を図る。
【００７５】
電子装置１００は、第２機能が使用制限設定されたものであるか否かを識別する（ステップＳ５０３）。
【００７６】
第２機能が使用制限設定されている場合、電子装置１００は、筆記認識ウィンドウ１２を提供する。ユーザは、筆記認識ウィンドウ１２に筆記し、筆記の終わりを知らせるボタン１３を押す。電子装置１００は、筆記認識ウィンドウ１２に筆記された少なくとも一つ以上の画の座標情報を読み取って、少なくとも一つ以上の文字を導き出す。次に、電子装置１００は、導き出した少なくとも一つ以上の文字と予め設定している少なくとも一つ以上の文字とが一致しているか否かを判断する。
【００７７】
図５Ｂに示すように、導き出した少なくとも一つ以上の文字と予め設定している文字とが一致した場合、電子装置１００は、第１機能（例えば、音楽再生機能）から第２機能（例えば、通話機能）へ転換する。
【００７８】
図５Ｃに示すように、導き出した少なくとも一つ以上の文字と予め設定している文字とが一致しない場合、電子装置１００は、第１機能（例えば、音楽再生機能）を維持し、これをユーザに知らせる（１６）。
【００７９】
本発明の実施形態による方法は、ハードウェア、ソフトウェア、又はハードウェアとソフトウェアとの組み合わせの形態により具現化され得る。
【００８０】
ソフトウェアにより具現化する場合に、一つ以上のプログラム（ソフトウェアモジュール）を格納するコンピュータ読み取り可能な記録媒体が提供され得る。コンピュータ読み取り可能な記録媒体に格納される一つ以上のプログラムは、電子装置内の一つ以上のプロセッサにより実行可能なように構成される。一つ以上のプログラムは、電子装置によって、本発明の実施形態による方法を実行するようにする命令語を含む。
【００８１】
このようなプログラム（ソフトウェアモジュール、ソフトウェア）は、ランダムアクセスメモリ、フラッシュメモリを含む不揮発性メモリ、ＲＯＭ、電気的消去可能なプログラム可能ＲＯＭ（ＥＥＰＲＯＭ）、磁気ディスク格納装置、コンパクト・ディスクロム、デジタル多目的ディスク（ＤＶＤｓ）又は他の形態の光学格納装置、マグネチックカセットに格納することができる。或いは、これらの一部又は全ての組み合わせから構成されたメモリに格納することができる。また、各々の構成メモリは、複数含まれ得る。
【００８２】
また、電子装置にインターネット、イントラネット、ＬＡＮ、ＷＬＡＮ、又はＳＡＮのような通信ネットワーク、又はこれらの組み合わせから構成された通信ネットワークを介してアクセスできる付着可能な格納装置に格納することができる。このような格納装置は、外部ポートを介して電子装置に接続される。
【００８３】
また、通信ネットワーク上の別途の格納装置を携帯用電子装置に接続することもできる。
【００８４】
以上、本発明の実施形態について図面を参照しながら詳細に説明したが、本発明は、上述の実施形態に限定されるものではなく、本発明の技術的範囲から逸脱しない範囲内で多様に変更実施することが可能である。
【符号の説明】
【００８５】
１００    電子装置
１１０    メモリ
１１１    オペレーティングシステムモジュール
１１２    通信モジュール
１１３    グラフィックモジュール
１１４    ユーザインタフェースモジュール
１１５    ＣＯＤＥＣモジュール
１１６    カメラモジュール
１１７    アプリケーションモジュール
１２０    プロセッサユニット
１２１    メモリインタフェース
１２２    プロセッサ
１２３    周辺装置インタフェース
１３０    第１無線通信サブシステム
１３１    第２無線通信サブシステム
１５０    オーディオサブシステム
１５１    スピーカ
１５２    マイクロホン
１６０    外部ポート
１７０    入出力システム
１７１    タッチスクリーン制御機
１７２    その他入力制御機
１８０    タッチスクリーン
１９０    その他入力／制御装置
１９１    モーションセンサ
１９２    光センサ
１９３    カメラサブシステム
【図１】
2013206465.tif 000003
【図２】
2013206465.tif 000004
【図３Ａ】
2013206465.tif 000005
【図３Ｂ】
2013206465.tif 000006
【図３Ｃ】
2013206465.tif 000007
【図３Ｄ】
2013206465.tif 000008
【図３Ｅ】
2013206465.tif 000009
【図４Ａ】
2013206465.tif 000010
【図４Ｂ】
2013206465.tif 000011
【図４Ｃ】
2013206465.tif 000012
【図５Ａ】
2013206465.tif 000013
【図５Ｂ】
2013206465.tif 000014
【図５Ｃ】
2013206465.tif 000015